(57)【要約】【課題】本発明は、介護者が被介護者の介護作業を容易に行うことでき、且つ被介護者の負担が少ない介護補助具及び介護補助具セットを提供することを課題とする。【解決手段】本発明の介護補助具は、体幹部の下に配設される体幹部支持部と、この体幹部支持部から脚部側に向けて略平行且つ隙間を持って突設される一対の突設部、及び上記突設部の脚部側の端部にそれぞれ連接され、大腿部の下に敷設される一対の大腿部支持部とを備え、上記体幹部支持部が、気体の充填により上記体幹部を持ち上げるよう膨張可能な第一袋体を有し、上記一対の大腿部支持部が、気体の充填により上記大腿部を持ち上げるよう膨張可能な第二袋体をそれぞれ有し、上記一対の突設部が、第一袋体と第二袋体とを連通する第三袋体をそれぞれ有し、第一袋体、第二袋体及び第三袋体の膨張状態において、上記突設部の上面が大腿部支持部の上面に比べて低いことを特徴とする。【選択図】図１
2014204850.tif 000002
【特許請求の範囲】
【請求項１】
仰臥した身体の体幹部及び大腿部の下に敷設される介護補助具であって、
上記体幹部の下に配設される体幹部支持部、
この体幹部支持部から脚部側に向けて略平行且つ隙間を持って突設される一対の突設部、及び
上記突設部の脚部側の端部にそれぞれ連接され、大腿部の下に配設される一対の大腿部支持部
を備え、
上記体幹部支持部が、気体の充填により上記体幹部を持ち上げるよう膨張可能な第一袋体を有し、
上記一対の大腿部支持部が、気体の充填により上記大腿部を持ち上げるよう膨張可能な第二袋体をそれぞれ有し、
上記一対の突設部が、第一袋体と第二袋体とを連通する第三袋体をそれぞれ有し、
第一袋体、第二袋体及び第三袋体の膨張状態において、上記突設部の上面が大腿部支持部の上面より低いことを特徴とする介護補助具。
【請求項２】
上記体幹部支持部が、膨張状態において頭部側の端部から脚部側の端部に向けて水平又は下方に傾斜した上面を有する請求項１に記載の介護補助具。
【請求項３】
オムツ交換用である請求項１又は請求項２に記載の介護補助具。
【請求項４】
請求項１、請求項２又は請求項３に記載の介護補助具とエアポンプとを備える介護補助具セット。
【発明の詳細な説明】
【技術分野】
【０００１】
本発明は、下半身を持ち上げることのできる介護補助具及び介護補助具セットに関する。
【背景技術】
【０００２】
介護者が被介護者を介護する際に労力を要する作業の一つにオムツの交換作業がある。このオムツ交換作業は、介護者が被介護者の下半身を持ち上げることで大腿部を浮かせた状態で、オムツを離脱し、被介護者の陰部に付着した汚物を清掃し、その後新たなオムツを装着する作業である。このようなオムツ交換作業は、被介護者が乳児と異なりある程度の体重を有するため、介護者が被介護者の体を動かすことに相当の力を要し、特に被介護者が寝たきり等の体の不自由な場合には介護者の希望通りの姿勢を長時間維持することが難しく、このためオムツの交換作業に介護者は多大な労力を要している。
【０００３】
このような観点から、被介護者の大腿部を浮かせた状態とすることのできるオムツ交換補助具が公知である（特開２００１−１４９３９５号公報）。このオムツ交換補助具は、空気を供給可能な袋体からなるオムツ交換補助具を被介護者の体幹部（胴部）に挿入しておき、空気を供給することによって、被介護者の大腿部を浮かせた状態を維持するものである。
【０００４】
しかし、このオムツ交換補助具を用いてオムツ交換をする場合は、被介護者の体幹部のみを袋体により持ち上げる構造であり、体幹部を持ち上げることで大腿部を浮かせるものであるため、被介護者の体幹部や腿部に相当の負担をかけるおそれがある。また、頭部が下がる構造であるため、不快な頭重感を生じるおそれがある。さらに、このオムツ交換補助具を使って大腿部を一定の時間持ち上げた状態に保つことは寝たきりや体が不自由な被介護者に、いっそうの負担をかけるおそれがある。
【０００５】
下半身を持ち上げる必要がある介護作業はオムツ交換には限られない。たとえば、被介護者が移動することなく排便を済ませる用具として、差し込み便器がある。この差し込み便器を利用する際にも、被介護者の下半身を持ち上げ、その下に差し込み便器を設置しなければならない。このように介護においては、下半身を持ち上げる行為はしばしば発生しており、その作業の容易化は、介護者、被介護者双方にとって課題となっている。
【先行技術文献】
【特許文献】
【０００６】
【特許文献１】特開２００１−１４９３９５号公報
【発明の概要】
【発明が解決しようとする課題】
【０００７】
本発明は、このような事情に鑑みてなされたものであり、介護者が被介護者の下半身を持ち上げることを容易に行うことができ、且つ被介護者の負担が少ない介護補助具の提供を目的とする。
【課題を解決するための手段】
【０００８】
上記課題を解決するためになされた介護補助具は、
仰臥した身体の体幹部及び大腿部の下に敷設される介護補助具であって、
上記体幹部の下に配設される体幹部支持部、
この体幹部支持部から脚部側に向けて略平行且つ隙間を持って突設される一対の突設部、及び
上記突設部の脚部側の端部にそれぞれ連接され、大腿部の下に配設される一対の大腿部支持部
を備え、
上記体幹部支持部が、気体の充填により上記体幹部を持ち上げるよう膨張可能な第一袋体を有し、
上記一対の大腿部支持部が、気体の充填により上記大腿部を持ち上げるよう膨張可能な第二袋体をそれぞれ有し、
上記一対の突設部が、第一袋体と第二袋体とを連通する第三袋体をそれぞれ有し、
第一袋体、第二袋体及び第三袋体の膨張状態において、上記突設部の上面が大腿部支持部の上面より低いことを特徴とする。
【０００９】
当該介護補助具は、仰臥した被介護者の体幹部及び大腿部の下に敷設し、第一袋体及び第二袋体に気体を充填させることで体幹部支持部及び大腿部支持部により被介護者の体幹部及び大腿部を持ち上げることができ、このように体幹部及び大腿部を持ち上げた状態で、介護者は被介護者の介護作業（たとえばオムツ交換作業）を容易に行うことができる。また、当該オムツ交換補助具は、被介護者の体幹部だけではなく大腿部も大腿部支持部によって持ち上げるため、介護作業中における被介護者の負担も少ない。
【００１０】
また、当該介護補助具は、上述のように突設部の上面が大腿部支持部の上面より低いので、大腿部支持部によって支持される部分より頭部側の被介護者の部位（大腿部及び体幹部の一部）の下側に隙間が形成される。この隙間の存在により介護作業をより容易に行うことができる。すなわち、上記隙間が存在するので、被介護者の臀部に係る介護作業を容易に行うことができる。
【００１１】
さらに、当該介護補助具は、上述のように一対の大腿部支持部によって被介護者の大腿部を支持するものであるので、体幹部支持部と双方から支えることで、上記隙間には介護者が手を挿入することができる空間が形成されており、介護作業をより容易に行うことができる。
【００１２】
しかも、当該介護補助具は、上述のように第一袋体及び第二袋体が第三袋体によって連通されているので、何れか一つの袋体に気体を供給することで、第一袋体及び第二袋体を膨張させることができ、各袋体の膨張手順を簡便に行うことができる。
【００１３】
さらに、上記体幹部支持部は、膨張状態において頭部側の端部から脚部側の端部に向けて水平又は下方に傾斜した上面を有するとよい。これにより、膨張状態において介護者の頭部を腰部及び臀部より水平又は高く保つことができ、被介護者の頭重感がなく、このため介護作業時の被介護者の負担をさらに軽減することができる。
【００１４】
また上記課題を解決するための別の発明は、介護補助具とエアポンプとを備える介護補助具セットである。当該介護補助具セットは、当該介護補助具を備えるため、下半身を持ち上げる作業を伴う介護作業を容易に行うことができ、かつ、被介護者の負担が少ない。また、エアポンプを備えることで、袋体への空気の供給を容易に行うことができ、介護者の準備負担を軽減できる。
【発明の効果】
【００１５】
以上説明したように、本発明の介護補助具及び介護補助具セットは、介護者が被介護者の介護作業を容易に行うことでき、かつ、被介護者の負担が少ない。
【図面の簡単な説明】
【００１６】
【図１】本発明の一実施形態に係る介護補助具セットの模式的平面図である。
【図２】図１の介護補助具セットの介護補助具の模式的側面図である。
【図３】図１の介護補助具セットの使用例を示す模式図である。
【発明を実施するための形態】
【００１７】
図１の介護補助具セット１は、介護補助具２及びエアポンプ３を備える。
【００１８】
介護補助具２は、仰臥した被介護者の身体の体幹部及び大腿部の下に敷設され、体幹部支持部４、一対の大腿部支持部６及び一対の突設部７を有している。一対の突設部７は、体幹部支持部４から脚部側に向けて略平行且つ隙間を持って突設される。一対の大腿部支持部６は、突設部７の脚部側の端部にそれぞれ連接され、大腿部の下に配設される。
【００１９】
また、当該介護補助具２は、気体が供給されることで膨張可能な袋体を内蔵している。具体的には、体幹部支持部４は第一袋体、大腿部支持部６は第二袋体、突設部７は第三袋体を有し、この第一袋体及び第二袋体は、第三袋体によって連通されている。また、当該介護補助具２は上記袋体に空気（気体）を供給するための気体供給口８を有しており、介護時にエアポンプ３により気体供給口８を通して空気を上記袋体に充填することにより、被介護者の体幹部及び大腿部を持ち上げることができる。なお、上記気体供給口８は、第一袋体、第二袋体及び第三袋体のいずれか一つに設けることができるが、第一袋体に設けることが好ましい。気体供給口８を第一袋体に設けることにより、当該介護補助具２は、気体供給口に近い体幹部支持部４側が先に膨らみ、大腿部支持部６側が遅れて膨らむため、被介護者に不快な頭重感を与えることがない。
【００２０】
上記袋体の形成材料としては、特に限定されないが、合成樹脂、ゴム等を用いることができる。上記合成樹脂としては、ポリ塩化ビニル、ウレタン系樹脂、オレフィン系樹脂等を用いることができる。
【００２１】
また、上記袋体は、表面用シート、裏面用シート、側面用シートにより形成することができる。特に限定されないが、これらシートは、ヒートシール加工によってそれぞれを接着させることで上記袋体を形成することができる。
【００２２】
体幹部支持部４は、仰臥した被介護者の体幹部の下に配設される。体幹部支持部４は、上述のように第一袋体を有し、気体が充填されることにより体幹部を持ち上げることができる。体幹部支持部４の上面は、第一袋体の膨張状態において頭部側の端部から脚部側の端部に向けて下方に傾斜している。体幹部支持部４は、平面視略方形状である。
【００２３】
体幹部支持部４の脚部側端部の高さ（袋体の膨張状態の下面から上面までの高さ）としては、特に限定されないが、３ｃｍ以上２４ｃｍ以下が好ましく、１２ｃｍ以上１８ｃｍ以下がより好ましい。上記端部の高さが上記下限未満の場合、下半身の持ち上がりが不十分となり介護作業が容易に行えないおそれがある。一方、上記端部の高さが上記上限を超える場合、安定性を欠き、被介護者に負担をかけるおそれがある。
【００２４】
また、体幹部支持部４の脚部側端部の高さとしては、大腿部支持部６の高さと同じ又は高くするとよい。これにより、体幹部から大腿部にかけて水平又は緩やかに下がる無理のない姿勢が保たれ、被介護者の負担が少なくなる。
【００２５】
体幹部支持部４の頭部側端部の高さ（袋体の膨張状態の下面から上面までの高さ）と脚部側端部の高さの差としては、特に限定されないが、５ｃｍ以下が好ましく、２ｃｍ以下がより好ましい。体幹部支持部４の頭部側の端部の高さが上記上限を超える場合、被介護者の上体が起きすぎることによって介護作業がしにくくなるおそれがある。
【００２６】
体幹部支持部４の長さ（脚部側から頭部側方向への長さ）としては、特に限定されないが、７０ｃｍ以上２００ｃｍ以下が好ましく、８０ｃｍ以上１３０ｃｍ以下がより好ましい。体幹部支持部４の長さが上記下限未満の場合、頭部が落ちるので、被介護者に負担をかけるおそれがある。一方、体幹部支持部４の長さが上記上限を超える場合、介護補助具２が被介護者のベッドサイズを超え、取扱性が損なわれるおそれがある。
【００２７】
体幹部支持部４の幅（上記長さと垂直方向の幅）としては、特に限定されないが、１６ｃｍ以上６８ｃｍ以下が好ましく、５０ｃｍ以上６０ｃｍ以下がより好ましい。体幹部支持部４の幅が上記下限未満の場合、被介護者の体幹部を持ち上げる際に、体幹部支持部４から体幹部がズレて被介護者の身体が左右に落ちる場合がある。一方、体幹部支持部４の幅が上記上限を超える場合、介護補助具２の取扱性が損なわれるおそれがある。
【００２８】
大腿部支持部６は、仰臥した被介護者の大腿部の下に配設される。大腿部支持部６は、第二袋体を有し、気体が充填されることにより大腿部を持ち上げることができる。対となる大腿部支持部６それぞれの間の隙間の有無は特に限定されないが、隙間を有することが好ましい。隙間を有することで、この一対の大腿部支持部の間に介護者が手を挿入等することができ、介護作業をより容易に行うことができる。大腿部支持部６の形状としては、特に限定されないが、図１のように平面視略台形状に形成することができる。つまり、一対の大腿部支持部６の隙間を脚部側から頭部側へ向けて狭くなる形状とする。このような形状とすることで、大腿部支持部６のうち、被介護者の大腿部の重さが重たい付け根部分を支持する面積が広がり、被介護者の体勢が安定する。
【００２９】
大腿部支持部６の高さ（袋体の膨張状態の下面から上面までの高さ）としては、特に限定されないが、３ｃｍ以上２２ｃｍ以下が好ましく、９ｃｍ以上１８ｃｍ以下がより好ましい。大腿部支持部６の高さが上記下限未満の場合、介護作業が容易に行えないおそれがある。一方、大腿部支持部６の高さが上記上限を超える場合、被介護者に負担をかけるおそれがある。
【００３０】
大腿部支持部６の長さ（脚部側から頭部側方向への長さ）としては、特に限定されないが、８ｃｍ以上３６ｃｍ以下が好ましく、２０ｃｍ以上３０ｃｍ以下がより好ましい。大腿部支持部６の長さが上記下限未満の場合、被介護者の大腿部が安定せず、被介護者に負担となるおそれがある。一方、大腿部支持部６の長さが上記上限を超える場合、介護作業が容易に行えないおそれがある。
【００３１】
大腿部支持部６の幅（上記長さと垂直方向の幅）としては、特に限定されないが、脚部側において４ｃｍ以上２６ｃｍ以下が好ましく、１０ｃｍ以上２０ｃｍ以下がより好ましい。頭部側において８ｃｍ以上３０ｃｍ以下が好ましく、１５ｃｍ以上２０ｃｍ以下がより好ましい。大腿部支持部６の幅が脚部側又は頭部側において上記下限未満の場合、被介護者の大腿部を持ち上げる際に、支持部６から大腿部がズレて被介護者の大腿部が左右に落ちる場合がある。一方、大腿部支持部６の幅が脚部側又は頭部側において上記上限を超える場合、介護で被介護者の臀部の下に置く必要がある物（たとえば介護作業がオムツ交換作業であれば、オムツのハネの部分）の出し入れが難しくなる等、介護補助具２の取扱性が損なわれるおそれがある。
【００３２】
突設部７は、上述のように第一袋体と第二袋体とを連通する第三袋体を有し、大腿部支持部６と体幹部支持部４とを連結する。突設部７の形状としては、特に限定されないが、方形状に形成することができ、対となる突設部７それぞれの間に隙間を有する。
【００３３】
突設部７の上面は、袋体の膨張状態において、大腿部支持部６の上面より低い。また、突設部７の上面は、袋体の膨張状態において、体幹部支持部４の脚部側の端縁の上面より低い。これにより、上記袋体の膨張状態において被介護者の臀部と突設部７との間に空間が形成され、この空間を用いて介護作業を容易に行うことができる。
【００３４】
突設部７の高さ（袋体の膨張状態の下面から上面までの高さ）としては、特に限定されないが、１ｃｍ以上１０ｃｍ以下が好ましく、１ｃｍ以上５ｃｍ以下がより好ましい。突設部７の高さが上記下限未満の場合、連通している第三袋体の断面積が狭くなり、第一袋体から第二袋体へ気体が十分に充填できないおそれがある。一方、突設部７の高さが上記上限を超える場合、大腿部支持部６や体幹部支持部４との高さの差を十分に確保できず、介護作業が容易に行えないおそれがある。
【００３５】
突設部７の上面と大腿部支持部６の上面との高さの差としては、特に限定されないが、１ｃｍ以上２１ｃｍ以下が好ましく、５ｃｍ以上１５ｃｍ以下がより好ましい。突設部７の上面と大腿部支持部６の上面との高さの差が上記下限未満の場合、被介護者と突設部７との間で実施すべき作業をすることが困難となり、介護作業を容易に行えないおそれがある。一方、突設部７の上面と大腿部支持部６の上面との高さの差が上記上限を超える場合、大腿部支持部６の高さが高くなりすぎ、被介護者に負担をかけるおそれがある。
【００３６】
突設部７の上面と体幹部支持部４の上面との高さの差としては、特に限定されないが、１ｃｍ以上２３ｃｍ以下が好ましく、７ｃｍ以上１７ｃｍ以下がより好ましい。突設部７の上面と体幹部支持部４の上面との高さの差が上記下限未満の場合、被介護者と突設部７との間で実施すべき作業をすることが困難となり、介護作業を容易に行えないおそれがある。一方、突設部７の上面と体幹部支持部４の上面との高さの差が上記上限を超える場合、体幹部支持部４の脚部側端部の高さが高くなりすぎ、被介護者に負担をかけるおそれがある。
【００３７】
突設部７の長さ（脚部側から頭部側方向への長さ）としては、特に限定されないが、３ｃｍ以上２８ｃｍ以下が好ましく、１３ｃｍ以上１７ｃｍ以下がより好ましい。突設部７の長さが上記下限未満の場合、介護で被介護者と突設部７との間に置く必要がある物の出し入れが困難となり、介護作業を容易に行えないおそれがある。一方、突設部７の長さが上記上限を超える場合、被介護者の大腿部及び体幹部を適切に支えられないおそれがある。
【００３８】
突設部７の幅（上記長さと垂直方向の幅）としては、特に限定されないが、本実施形態においては大腿部支持部６の脚部側の幅と同じ幅である。
【００３９】
対となる突設部７の間隔（一対の突設部７が形成する隙間の幅）としては、特に限定されないが、８ｃｍ以上２８ｃｍ以下が好ましく、１２ｃｍ以上１６ｃｍ以下がさらに好ましい。対となる突設部７の間隔が上記下限未満の場合、介護作業を容易に行えないおそれがある。一方、対となる突設部７の間隔が上記上限を超える場合、被介護者の臀部が隙間に落ち込み介護作業が行えなくなるおそれがある。
【００４０】
気体供給口８は、介護補助具２の第一袋体、第二袋体及び第三袋体に気体を供給するための供給口である。気体供給口８は、第一袋体、第二袋体及び第三袋体のいずれか１つに連接するかぎり、特に限定されないが、体幹部支持部４が有する第一袋体と連接することができる。これにより、対をなす第二袋体及び第三袋体に気体の供給をスムースに行うことができる。
【００４１】
エアポンプ３は、介護補助具２の袋体に気体を供給するものであり、気体供給口８に接続される。エアポンプ３は、特に限定されないが、公知のものを用いることができ、電動エアポンプや手動エアポンプを用いることができる。エアポンプ３により、オムツ交換補助具２の袋体に気体を供給することが可能となる。
【００４２】
＜利点＞
当該介護補助具２は、仰臥した被介護者の大腿部及び大腿部の下に介護補助具２の大腿部支持部６及び体幹部支持部４が位置するよう敷設し、そして、オムツ交換作業の際に、エアポンプ３によりオムツ交換補助具２の袋体に気体を供給することにより、被介護者の大腿部及び体幹部が大腿部支持部６及び体幹部支持部４によって持ち上げられる。このように体幹部及び大腿部が持ち上げられた状態で、介護者は被介護者の介護作業を容易に行うことができる。また、当該介護補助具２は、被介護者の体幹部だけではなく大腿部も大腿部支持部６によって持ち上げており、かつ、体幹部支持部を大腿部支持部により水平、又は高く持ち上げているので、介護作業中における被介護者の頭重感もなく、被介護者の姿勢に対する負担も少ない。
【００４３】
また、当該介護補助具２は、突設部７の上面が大腿部支持部６の上面及び体幹部支持部４の脚部側の端縁の上面より低いので、袋体の膨張状態において突設部７と被介護者との間に隙間が形成される。このため、この隙間部分に介護者が手を挿入することができるので、介護作業を容易に行うことができる。
【００４４】
さらに、当該介護補助具２は、一対の大腿部支持部６によって被介護者の大腿部を支持するものであるので、体幹部支持部と双方から支えることで、上記隙間には介護者が手を挿入することができる空間が形成されており、介護作業をより容易に行うことができる。
【００４５】
また、当該介護補助具２は、袋体を構成する第一袋体、第二袋体及び第三袋体が連通されているので、何れか一つの袋体に気体を供給することで、第一袋体及び第二袋体を膨張させることができ、各袋体の膨張手順を簡便に行うことができる。
【００４６】
＜オムツ交換補助具としての使用＞
当該介護補助具セット１は、オムツ交換補助具として好適に用いることができる。その手順について説明する。
【００４７】
まず被介護者を介護補助具２上に仰臥させ、袋体への気体供給を行う。介護補助具２が気体供給前の高さが低い状態で被介護者を仰臥させることができるので、介護者は介護補助具２上に被介護者を仰臥させる際に被介護者の臀部及び腰部を高く持ち上げる必要が無く、少ない労力で被介護者を所定の位置に仰臥できる。
【００４８】
全ての袋体が膨張状態になると、突設部７と被介護者の下半身との間に隙間が形成される。この隙間は、被介護者の腰回りにオムツの入る広さがあることが好ましい。この隙間の存在によりオムツ交換作業をより容易に行うことができる。すなわち、上記隙間が存在するので、オムツの離脱作業や、臀部又は腰部に付着した汚物の清掃作業や、新たなオムツの装着作業を容易に行うことができる。
【００４９】
さらに大腿部支持部６と体幹部支持部４と双方から支えることで、上記隙間には介護者が手を挿入することができる空間が形成されており、オムツの離脱作業や、臀部又は腰部に付着した汚物の清掃作業や、新たなオムツの装着作業を容易に行うことができる。
【００５０】
オムツ交換作業が完了した後には、袋体から気体を抜くことで膨張状態を解消し、介護補助具２を被介護者から取り除く。
【００５１】
以上のように当該介護補助具セットをオムツ交換補助具として使用すると、被介護者の下半身を介護に適切な高さに持ち上げ、その際に突設部と被介護者の下半身の間に形成される隙間を使って、オムツ交換作業を容易に実施することができる。
【００５２】
＜その他実施形態＞
なお、本発明のオムツ交換補助具及びオムツ交換補助具セットは、上記態様の他、種々の変更、改良を施した態様で実施することができる。
【００５３】
上記実施形態においては、オムツ交換補助具として使用する場合を説明したが、突設部と被介護者の下半身の間に形成される隙間に尿器や差込み便器を置くことで排便補助具としても利用可能である。その他、排便困難者の肛門マッサ−ジ、ジュクソウ防止の血行をよくする為のマッサ−ジ、毎日行う陰部浴など、被介護者の下半身の下に隙間があるため、本来、一番介助しにくかった臀部回りの介助がたいへん容易に実施できる。
【００５４】
当該介護補助具は、袋体を保護する保護シートをさらに有してもよい。これにより、介護作業時に当該介護補助具に汚れが付着した場合においても、この保護シートを洗浄することにより容易に汚れを除去することができる。また、この保護シートとして、防水性を有するものを採用することができる。これにより、当該介護補助具の袋体を汚すおそれが少ない。
【００５５】
さらに、上記保護シートとして、被介護者の大腿部や体幹部等に対して触感が良いものを採用することができる。上記保護シートとしては、マットレスが好ましく、耐圧分散マットレスがより好ましい。上記保護シートとしてマットレスを用いることで、床ずれを防止することができ、当該解除保護具を被介護者の下に常時敷設することができる。当該介護補助具が常時敷設されているので、介護者は介護の都度、当該介護補助具を被介護者の下に敷設する必要が無く、介護者の負担が軽減される。
【００５６】
当該介護補助具において、一対の突設部及び一対の大腿部支持部の間に存在する隙間をマットによって塞いでもよい。上記マットの高さとしては、当該介護補助具が収縮状態において、一対の突設部及び一対の大腿部支持部と同等の高さであることが好ましい。上記高さのマットを設けることで、当該介護補助具を常時敷設しておく際、非使用時すなわち介護補助具が収縮状態にある時に、一対の突設部及び一対の大腿部支持部の間に段差が生じず、被介護者の精神的負担を軽減することができる。
【００５７】
上記実施形態においては、当該介護補助具の大腿部支持部６として、平面視略台形状の場合を説明したが、平面視略方形状であってもよい。方形状の場合、大腿部支持部６の幅（上記長さと垂直方向の幅）としては、特に限定されないが、４ｃｍ以上３０ｃｍ以下が好ましく、１５ｃｍ以上２０ｃｍ以下がより好ましい。大腿部支持部を方形状とすることで、形状が簡素化され、耐久性や生産性が向上する。
【００５８】
上記実施形態においては、当該介助補助具の体幹部支持部４として、平面視略方形状の場合を説明したが、凹部を一対の突設部７間であって、体幹部支持部４の端縁の略中央部（それぞれの突設部７から略等距離となる位置）に設けても良い。上記凹部を略中央部に設けることにより、被介護者の汚物の清掃作業等の介護作業が容易に行える。上記凹部の幅（凹部が体幹部支持部４の端縁と交わる２点間の長さ）としては、特に限定されないが、４ｃｍ以上１２ｃｍ以下が好ましく、６ｃｍ以上８ｃｍ以下が好ましい。凹部の幅が上記下限未満の場合、汚物の清掃作業を容易にすることができないおそれがある。一方、凹部の幅が上記上限を超える場合、被介護者の腰部のうち凹部にかかる部分を支えることができず、被介護者に負担をかけるおそれがある。
【００５９】
当該介護補助具の体幹部支持部４又は大腿部支持部６において、仰臥した被介護者が接する面を凹曲面とし、被介護者の身体の保持力を高めてもよい。凹曲面化することで、被介護者の大腿部や体幹部が支持部からズレる等、被介護者の体勢が不安定になりにくくすることができる。仰臥した被介護者が接する面を波状又はディンプル状としても、上述の効果が得られる。
【００６０】
上記実施形態においては、袋体への気体供給を被介護者が介護補助具２上に仰臥してから行う方法を説明したが、袋体への気体供給は、被介護者を介護補助具２上に仰臥させる前に行ってもよい。この場合、気体供給時に袋体へ被介護者の体重が負荷としてかからないので、エアポンプ３として、比較的能力の低いエアポンプを利用することが可能となり、本発明の介護補助具及び介護補助具セットを安価に構成できる。
【００６１】
本発明の介護補助具２を単体で使用してもよい。気体供給口８に逆止弁を設け、あらかじめ袋体へ気体供給した後、上記逆止弁により、エアポンプ３を取り外すことで、本発明の介護補助具２は単体で使用することが可能となる。エアポンプ３を取り外すことができるので、介護補助具２を簡単に持ち運ぶことが可能となる。また、使用のたびに気体供給等の準備が不用となる。反復使用時に気体の流出が生じた場合は、気体供給口８からエアポンプ３により再度気体を追加供給することで、再利用することができる。
【００６２】
さらに、介護補助具２の製造において、気体を封入して製造し、気体供給口８を設けない構成としても良い。介護補助具２の構成が簡素化され、安価に製造できるという利点がある。
【産業上の利用可能性】
【００６３】
以上のように、本発明の介護補助具及び介護補助具セットは、オムツ交換作業等の介護作業を容易に行うことができ、且つ被介護者の負担が少ないので、介護作業に用いることができる。
【符号の説明】
【００６４】
１  オムツ交換補助具セット
２  オムツ交換補助具
３  エアポンプ
４  体幹部支持部
６  大腿部支持部
７  突設部
８  気体供給口
【図１】
2014204850.tif 000003
【図２】
2014204850.tif 000004
【図３】
2014204850.tif 000005